(57)【要約】  本発明は、雨天時に地表に近くに設置された雨水浸透施設によって流入する雨水以外に地中に浸透した流出地下水まで浸透・貯留槽に自動で流入させて水循環率を画期的に高めることができる水循環用浸透・貯留槽に関する。本発明による水循環用浸透・貯留槽は、地下に埋設された浸透・貯留槽の鉄筋コンクリート基底（１）に取り付けられ、内部に空間（２０）を有する箱状コンクリート構造物（２１）と、砕石骨材（４１）によって取り囲まれ、前記箱状コンクリート構造物（２１）の内部空間（２０）に連結される有孔管状の地下水流入通路（２２）と、浸透・貯留槽の鉄筋コンクリート基底（１）に埋設され、前記箱状コンクリート構造物（２１）の内部空間（２０）に連結され、胴体の周りに固定板（３１）及び止水板（３２）を有する地下水自動流入バルブハウジング（２３）と、前記地下水自動流入バルブハウジング（２３）に着脱可能に装着され、前記箱状コンクリート構造物（２１）の内部空間（２０）に流入する流出地下水を浸透・貯留槽の内部に自動で流入させる地下水自動流入バルブ（１２）とを含んでなる、浸透・貯留槽用地下水自動流入装置を備える。本発明による水循環用浸透・貯留槽は流出地下水を活用することができるので、地下水位によって有効水量を従来の浸透・貯留槽に比べて１５０〜３５０％増大させることができる効果を有する。【選択図】図８
2019522746.tif 000002
【特許請求の範囲】
【請求項１】
地下に埋設されて雨水を保存する浸透・貯留槽であって、
前記浸透・貯留槽の鉄筋コンクリート基底（１）に取り付けられ、流出地下水を前記浸透・貯留槽の内部に自動で流入させる地下水自動流入装置（１９）を含み、
前記地下水自動流入装置（１９）は、浸透・貯留槽の鉄筋コンクリート基底（１）に接合して内部空間（２０）をなす箱状コンクリート構造物（２１）と、砕石骨材（４１）によって取り囲まれ、前記箱状コンクリート構造物（２１）の内部空間（２０）に連結される有孔管状の地下水流入通路（２２）と、浸透・貯留槽の鉄筋コンクリート基底（１）に埋設され、前記箱状コンクリート構造物（２１）の内部空間（２０）に連結され、胴体の周りに固定板（３１）及び止水板（３２）を有する地下水自動流入バルブハウジング（２３）と、前記地下水自動流入バルブハウジング（２３）に着脱可能に装着され、前記箱状コンクリート構造物（２１）の内部空間（２０）に流入する流出地下水を浸透・貯留槽の内部に自動で流入させる地下水自動流入バルブ（１２）とを含んでなる、水循環用浸透・貯留槽。
【請求項２】
前記箱状コンクリート構造物（２１）と浸透・貯留槽の鉄筋コンクリート基底（１）間の接合部に遮水板（２４）をさらに含んでなる、請求項１に記載の水循環用浸透・貯留槽。
【請求項３】
前記固定板（３１）の上側に密着し、前記地下水自動流入バルブハウジング（２３）の胴体の周りに螺合する回転板（３３）をさらに含んでなる、請求項１に記載の水循環用浸透・貯留槽。
【請求項４】
前記固定板（３１）と回転板（３３）の間に防水層（２５）をさらに含んでなる、請求項３に記載の水循環用浸透・貯留槽。
【請求項５】
前記地下水自動流入バルブ（１２）は、バルブ固定用カバー（３０）と地下水自動流入バルブハウジング（２３）間の螺合（２９）によって地下水自動流入バルブハウジング（２３）に固定される、請求項１に記載の水循環用浸透・貯留槽。
【請求項６】
前記地下水自動流入バルブ（１２）は、設定圧力によって自動で開閉する圧力開閉板（２６）と、流入地下水中の砂、土などの微細物質を濾すスクリーン（２７、２８）とを含んでなる、請求項１に記載の水循環用浸透・貯留槽
【請求項７】
前記圧力開閉板（２６）が逆流防止構造を有する、請求項６に記載の水循環用浸透・貯留槽。
【請求項８】
前記圧力開閉板（２６）の開閉方式がスプリング式、重力式及び電子式のいずれか一つである、請求項７に記載の水循環用浸透・貯留槽。
【請求項９】
前記圧力開閉板（２６）は、モノのインターネットシステム（ＩｏＴ  Ｐｌａｔｆｏｒｍ）に連結され、気象条件又は雨水処理目的などによって開放が選択的に調節可能である、請求項６に記載の水循環用浸透・貯留槽。
【請求項１０】
前記スクリーン（２７、２８）は、螺合（３５、３６）によって地下水自動流入バルブ（１２）又は地下水自動流入バルブハウジング（２３）にそれぞれ着脱可能に固定される、請求項６に記載の水循環用浸透・貯留槽。
【請求項１１】
地下に埋設された浸透・貯留槽の鉄筋コンクリート基底（１）に取り付けられ、内部に空間（２０）を有する箱状コンクリート構造物（２１）と、砕石骨材（４１）によって取り囲まれ、前記箱状コンクリート構造物（２１）の内部空間（２０）に連結される有孔管状の地下水流入通路（２２）と、浸透・貯留槽の鉄筋コンクリート基底（１）に埋設され、前記箱状コンクリート構造物（２１）の内部空間（２０）に連結され、胴体の周りに固定板（３１）及び止水板（３２）を有する地下水自動流入バルブハウジング（２３）と、前記地下水自動流入バルブハウジング（２３）に着脱可能に装着され、前記箱状コンクリート構造物（２１）の内部空間（２０）に流入する流出地下水を浸透・貯留槽の内部に自動で流入させる地下水自動流入バルブ（１２）とを含んでなる、浸透・貯留槽用地下水自動流入装置。
【発明の詳細な説明】
【技術分野】
【０００１】
本発明は、循環用浸透・貯留槽に関し、より詳しくは、雨天時に地表に近くに設置された雨水浸透施設によって流入する雨水以外に地中に浸透した流出地下水まで貯留槽に自動で流入させて水循環率を画期的に高めることができる水循環用浸透・貯留槽に関する。
【背景技術】
【０００２】
都会化が持続的に進むにつれて、道路舗装及び建築などによる不透水層が増大していく一方、気候変化によって６月〜９月に降雨の時期別集中化が深化して雨水が地中に染み込めずに流出することによって河川の氾濫、都心の浸水及び洪水が頻繁に発生している。
【０００３】
また、地中への雨水浸透量が減少し、湧泉水の枯渇及び土壌の乾燥化によって雨水が自然循環することができないなど、都市地域の水循環はめったに改善されていない。
【０００４】
よって、本出願の発明者は、雨が降るとき、浸透筒、浸透管、浸透側溝、浸透掘、透水ブロック、樹木濾過ボックスなどの雨水浸透施設を用いて地中への雨水浸透量を増加させるとともに、このような雨水浸透施設を公共用地に設置された地下貯留槽に連続型流路で連結することで、地下貯留槽に雨水を長期間保存してからさまざまな目的で又は用途に用いるか、地下に染みこむようにして、枯渇した地下水を増大し、土壌に水分を供給する雨水浸透・貯留槽を開発して特許出願し、商用化したことがある（韓国特許登録第１０−１２３８１９９号公報参照）。
【０００５】
しかし、前記のような従来技術による雨水浸透・貯留槽は、雨天時に雨水浸透施設を介して保存される雨水のみを用いることができるだけであり、地中に浸透した流出地下水を用いることができなくて雨水の利用率及び水循環率が低い問題点を持っていた。
【０００６】
そして、ある地下構造物が地下水位より低く設置されるとき、水頭（ｗａｔｅｒ  ｈｅａｄ；圧力差）によってその構造物に水圧が作用し、この水圧のうち上向きに作用する水圧を揚圧力という。
【０００７】
ここで、水頭とは、地下水位と浸透・貯留槽の貯留水位間の差をいい、地下水位とは、井戸を掘るときに一定の深さに至ると水が浸出して溜まり、この水が溜まる最上部の水面をいう。
地下に埋設される雨水浸透・貯留槽は、雨天時に上昇した地下水位によって揚圧力を受けることになる。
【発明の概要】
【発明が解決しようとする課題】
【０００８】
本発明の目的は、雨天時に地表に近くに設置された雨水浸透施設によって流入する雨水だけではなく地中に浸透した流出地下水まで貯留槽に自動で流入させて雨水の利用率及び水循環率を画期的に高めることができる水循環用浸透・貯留槽を提供することにある。
【課題を解決するための手段】
【０００９】
上記課題を解決するために、本発明は、地下に埋設されて雨水を保存する浸透・貯留槽であって、前記浸透・貯留槽の鉄筋コンクリート基底に設置され、流出地下水を前記浸透・貯留槽の内部に自動で流入させる地下水自動流入装置をさらに含んでなる、水循環用浸透・貯留槽を提供する。
【００１０】
ここで、地下水自動流入装置は、浸透・貯留槽の鉄筋コンクリート基底に接合して内部空間をなす箱状コンクリート構造物と、砕石骨材によって取り囲まれ、前記箱状コンクリート構造物の内部空間に連結される有孔管状の地下水流入通路と、浸透・貯留槽の鉄筋コンクリート基底に埋設され、前記箱状コンクリート構造物の内部空間に連結される地下水自動流入バルブハウジングと、前記地下水自動流入バルブハウジングに着脱可能に装着され、前記箱状コンクリート構造物の内部空間に流入する地下水を浸透・貯留槽の内部に自動で流入させる地下水自動流入バルブとを含んでなる。
ここで、前記地下水自動流入バルブハウジングは、浸透・貯留槽に貯留された貯留水の漏水を防止するために、その胴体の周りに固定板及び止水板を備える。
【００１１】
ここで、本発明による水循環用浸透・貯留槽は、前記固定板の上側に密着し、前記地下水自動流入バルブハウジングの胴体の周りに螺合される回転板をさらに備える。
【００１２】
ここで、本発明による水循環用浸透・貯留槽は、前記固定板と回転板の間に、浸透・貯留槽の貯留水が地下水自動流入バルブハウジングの胴体の周りを通して漏水することを防止するための防水層をさらに備える。
【００１３】
ここで、本発明による地下水自動流入装置の地下水自動流入バルブは、バルブ固定用カバーと地下水自動流入バルブハウジング間の螺合によって地下水自動流入バルブハウジングに固定される。
【００１４】
ここで、本発明による地下水自動流入装置の地下水自動流入バルブは、設定圧力によって自動開閉する圧力開閉板と、流入地下水中の砂、土などの微細物質を濾すスクリーンとを含んでなる。
【００１５】
ここで、本発明による地下水自動流入バルブの圧力開閉板は、逆流防止のための構造を有し、流出地下水の揚圧力が地下水自動流入バルブの設定圧力を超えれば、地下水自動流入バルブが自動で開放し、流出地下水が浸透・貯留槽の内部に一方向通過（ｏｎｅ  ｗａｙ  ｐａｓｓ）して流入するだけであり、一度流入した流出地下水は自動流入バルブを通して浸透・貯留槽外に流出することはできない。
ここで、本発明による地下水自動流入バルブの圧力開閉板の開閉方式が、スプリング式、重力式及び電子式のいずれか一つであってもよい。
【００１６】
ここで、本発明による地下水自動流入バルブの圧力開閉板は、モノのインターネットシステム（ＩｏＴ  Ｐｌａｔｆｏｒｍ）に連結され、気象条件又は雨水処理目的などによって開放が選択的に調節されることができる。
【００１７】
ここで、本発明による地下水自動流入バルブのスクリーンは、螺合によって地下水自動流入バルブ又は地下水自動流入バルブハウジングにそれぞれ着脱可能に固定される。
【００１８】
また、本発明は、地下に埋設された浸透・貯留槽の鉄筋コンクリート基底に取り付けられ、内部に空間を有する箱状コンクリート構造物と、砕石骨材によって取り囲まれ、前記箱状コンクリート構造物の内部空間に連結される有孔管状の地下水流入通路と、浸透・貯留槽の鉄筋コンクリート基底に埋設され、前記箱状コンクリート構造物の内部空間に連結される地下水自動流入バルブハウジングと、前記地下水自動流入バルブハウジングに着脱可能に装着され、前記箱状コンクリート構造物の内部空間に流入する流出地下水を浸透・貯留槽の内部に自動で流入させる地下水自動流入バルブとを含んでなる浸透・貯留槽用地下水自動流入装置を提供する。
ここで、地下水自動流入装置は、浸透・貯留槽の長さ１５ｍごとに又は貯留量２００〜３００トンごとに一つが設置される。
ここで、地下水自動流入装置は、容易な維持管理のために、浸透・貯留槽の垂直マンホールを兼ねた維持管理用作業通路の下部に設置される。
【発明の効果】
【００１９】
本発明による水循環用浸透・貯留槽は、雨天時に地表に近くに設置された雨水浸透施設によって流入する雨水だけではなく地中に浸透した流出地下水まで浸透・貯留槽に自動で流入させて雨水の利用率及び水循環率を画期的に高めることができるという効果を有する。
【００２０】
また、本発明による水循環用浸透・貯留槽は、流出地下水を活用することができ、地下水位によって有効水量を従来の浸透・貯留槽に比べて１５０〜３５０％増大させることができるという効果を有する。
【図面の簡単な説明】
【００２１】
【図１】本発明の一実施例による水循環用浸透・貯留槽を示す概念図である。
【図２】本発明の一実施例による水循環用浸透・貯留槽の滞水材を単位組立構造で示す概念図である。
【図３】本発明の一実施例による水循環用浸透・貯留槽の鉄筋コンクリート基底に地下水自動流入バルブが取り付けられた形態を示す図である。
【図４】本発明の一実施例による水循環用浸透・貯留槽の地下水自動流入装置を概略的に示す概念図である。
【図５】図４の地下水自動流入装置の断面図である。
【図６】図５に示した地下水自動流入バルブの出口部の詳細図である。
【図７】図５に示した地下水自動流入バルブの入口部の詳細図である。
【図８】本発明の一実施例による水循環用浸透・貯留槽の水循環概念図である。
【発明を実施するための形態】
【００２２】
以下、添付図面に基づいて本発明の実施のための具体的な内容を説明する。そして、本発明の説明において、関連した公知の機能が当該分野の通常の技術者に自明な事項であって本発明の要旨を不必要に曖昧にするおそれがあると判断される場合には、その詳細な説明を省略する。
図１は本発明の一実施例による水循環用浸透・貯留槽を示す概念図である。
【００２３】
本発明の一実施例による水循環用浸透・貯留槽は、各部材が軽くて組立型に締結できるので、施工作業が容易であり、銀ナノ（Ｎａｎｏ  Ｓｉｌｖｅｒ）処理されているので、雨水を長期間保存しても微生物発生などによる雨水の汚染が著しく低減し、地下深度変化及び設計荷重の条件によって応力構造の変更が容易であるハイブリッド（Ｈｙｂｒｉｄ）方式の補強構造システムを取り揃えている。
【００２４】
本発明の一実施例による水循環用浸透・貯留槽は、貯留槽の基礎をなす鉄筋コンクリート基底１と、貯留槽に加わる垂直荷重及び水平荷重を支える水平材であり、板状をなし、コーナー部が切開されている複数の滞水材２と、前記複数の滞水材２のコーナー部に結合され、前記複数の滞水材２に加わる垂直荷重に対応し、貯留槽の設計荷重条件及び地下深度変化によってその内部が補強材で満たされる複数の中空主柱３と、前記複数の滞水材２の中央部に結合され、上部から加わる圧縮及び曲げモーメントによる前記複数の滞水材２の垂れを防止するための複数の中空中央補助柱（図示せず）と、前記複数の滞水材２、複数の主柱３及び複数の中央補助柱（図示せず）によって形成される貯留槽の滞水空間を取り囲み、透水構造としての浸透有孔板５を含む外壁板６と、雨水を流入させ、作業者の出入が可能な流入マンホール８と、雨水を流出させ、作業者の出入が可能な流出マンホール９と、貯留槽の内部掃除などの貯留槽の維持保守を行うために流入マンホール８と流出マンホール９を連結する垂直作業通路１０及び水平作業通路１１とを含んでなり、前記滞水材２を含む貯留槽の部品が銀ナノ成分を含有したガラスファイバー素材の抗菌性複合材からなっている。
また、本発明の一実施例による水循環用浸透・貯留槽は、貯留槽の鉄筋コンクリート基底１に地下水自動流入バルブ１２が取り付けられる。
図２は本発明の一実施例による水循環用浸透・貯留槽の滞水材を単位組立構造で示す概念図である。
【００２５】
本発明の一実施例による滞水材２は板状（１，０００×１，０００×５０ｍｍの規格）の上下パネル１４、１５からなり、その上下パネル１４、１５からなった単位組立構造体は雨水又は地下水を保存する単位空間をなし、上下パネル１４、１５の４コーナー部に形成された主柱結合部１６と中央部位に形成された中央補助柱結合部１７の嵌合締結構造によって、上下パネル１４、１５の各コーナー部には主柱３が、中央部には中央補助柱４がそれぞれ結合固定される。
また、本発明の一実施例による滞水材２は、自体重量及び材料費を減らすために、直径５０〜１００ｍｍの円形孔又は角形孔１８を備える。
図３は本発明の一実施例による水循環用浸透・貯留槽の鉄筋コンクリート基底に地下水自動流入バルブが取り付けられた形態を示している。
【００２６】
図４は本発明の一実施例による水循環用浸透・貯留槽の鉄筋コンクリート基底に設置され、浸透・貯留槽の内部に流出地下水を自動で流入させる地下水自動流入装置を概略的に示す概念図、図５は図４の地下水自動流入装置の断面図、図６は図５に示した地下水自動流入バルブの出口部の詳細図、図７は図５に示した地下水自動流入バルブの入口部の詳細図である。
【００２７】
本発明の一実施例による地下水自動流入装置１９は、浸透・貯留槽の鉄筋コンクリート基底１に接合されて内部空間２０をなす箱状コンクリート構造物（ＰＣ；Ｐｒｅｃａｓｔｉｎｇ  Ｃｏｎｃｒｅａｔｅ）２１と、砕石骨材（図示せず）によって取り囲まれ、前記箱状コンクリート構造物２１の内部空間２０に連結される有孔管状の地下水流入通路（暗渠）２２とを備える。
【００２８】
一般に、大部分の地下室の底には暗渠が取り付けられているが、本発明の一実施例による地下水自動流入装置は暗渠の水を強制で排水せず、流出地下水と浸透・貯留槽内の貯留水の水頭差によって浸透・貯留槽の内部に流出地下水が流入するように開発されたものであり、流出地下水の流入過程で発生する水流によって大部分の微細土砂が浸透・貯留槽の内部に入ると、汚染及び微細物質が流入装置を詰めて故障を引き起こすことができる。
【００２９】
したがって、箱状コンクリート構造物２１を暗渠（地下水流入通路）２２と接合させることで、異物が内部に入ることを最大限防止し、箱状コンクリート構造物２１と浸透・貯留槽の鉄筋コンクリート基底１間の接合部にも遮水板２４を取り付けることで、接合部の異物流入又は漏水を防止する。
遮水板２４は主に耐水性及び耐老化性に優れたネオプレン系プラスチック又はゴム素材を使う。
【００３０】
また、本発明の一実施例による地下水自動流入装置１９は、浸透・貯留槽の鉄筋コンクリート基底１に埋設され、前記箱状コンクリート構造物２１の内部空間２０に連結される地下水自動流入バルブハウジング２３と、前記地下水自動流入バルブハウジング２３に着脱可能に装着され、前記箱状コンクリート構造物２１の内部空間２０に流入する流出地下水を浸透・貯留槽の内部に自動で流入させる地下水自動流入バルブ１２とを含んでなる。
【００３１】
地下水自動流入バルブ１２はバルブ固定用カバー３０と地下水自動流入バルブハウジング２３間の螺合２９によって地下水自動流入バルブハウジング２３に固定され、現場条件によって既成製品のバルブを選択的に使うことができるように、地下水自動流入バルブハウジング２３が設計される。
【００３２】
地下水自動流入バルブ１２は設定圧力によって開閉する圧力開閉板２６を備え、圧力開閉板２６は逆流防止のための構造を持っているので、流出地下水の揚圧力が圧力開閉板２６の設定圧力を超えれば、圧力開閉板２６が自動で開放し、流出地下水が浸透・貯留槽の内部に一方向通過（ｏｎｅ  ｗａｙ  ｐａｓｓ）して流入するだけであり、浸透・貯留槽の貯留水は圧力開閉板２６を通じて流出することはできない。
【００３３】
圧力開閉板２６の設定圧力に関連して、例えば圧力開閉板２６は、降雨時の流出などによって地下水位が上昇して流出地下水の水頭（地下水位と水循環用浸透・貯留槽の貯留水位間の差）２５ｃｍで流出地下水の揚圧力によって開放して流出地下水を水循環用浸透・貯留槽の内部に流入させるように、設定圧力が調整されることができる。
【００３４】
そして、流出地下水が水循環用浸透・貯留槽の内部に流入するにつれて流出地下水の揚圧力が圧力開閉板２６の設定圧力以下に低くなれば圧力開閉板２６が自動で閉鎖する。
【００３５】
地下水自動流入バルブ１２の開閉方式はスプリング式、重力式、電子式など、多様は方式が適用されることができ、気象条件又は雨水の処理目的などによって開放が選択的に調節されることができる。
【００３６】
すなわち、気象予報を電子開閉式地下水自動流入バルブ１２のモノのインターネットシステム（ＩｏＴ  Ｐｌａｔｆｏｒｍ）に連結することで、連続的な降雨又は暴雨などによって都市洪水が頻繁に発生する夏期には流出地下水の流入を遮断するとともに浸透・貯留槽内の貯留水を強制で排水して浸透・貯留槽を空にすることによって浸透・貯留槽が最大流量（ｐｅａｋ  ｆｌｏｗ）を低めるようにし、渇水期には流出地下水が一定の水頭によって無動力で浸透・貯留槽内に自動で流入して河川維持水及び造園水などとして使われることができるように、地下水自動流入バルブ１２の開放を調節することができる。
また、地下水自動流入バルブ１２は、流入地下水中の砂、土などの微細物質を濾すスクリーン２７、２８を地下水の流入部及び流出部にそれぞれ備えている。
【００３７】
地下水流出部のスクリーン２７は螺合３５によって地下水自動流入バルブ１２に着脱可能に固定され、地下水流入部のスクリーン２８は螺合３６によって地下水自動流入バルブハウジング２３に着脱可能に固定される。
地下水自動流入バルブハウジング２３は金属材からなり、胴体の周りに円形羽状の固定板３１と止水板３２をそれぞれ備える。
【００３８】
固定板３１は、浸透・貯留槽の底面と地下水自動流入バルブハウジング２３間の接合部で発生し得る漏水（浸透・貯留槽に貯留された貯留水の漏水）を防止するために、溶接などで地下水自動流入バルブハウジング２３の周りに固定させたものであり、固定板３１とその上部の回転板３３の間に防水層２５を押し入れ、回転板３３を回せば、回転板３３と地下水自動流入バルブハウジング２３間の螺合３４によって固定板３１が水密に加圧される。
【００３９】
一方、地下水自動流入バルブハウジング２３が浸透・貯留槽の鉄筋コンクリート基底１に埋設されるとき、金属とコンクリートの異質材によって接合力が低下し、これによって漏水が発生することがある。このような漏水現象を防止するために、地下水自動流入バルブハウジング２３の周りに止水板３２を溶接方式などで固定する。
【００４０】
本発明の一実施例による地下水自動流入装置１９は、箱状コンクリート構造物２１を先に設置した後、砕石骨材４１で取り囲まれた地下水流入通路２２と連結させ、その上に浸透・貯留槽の鉄筋コンクリート基底１を打設する。
【００４１】
このとき、箱状コンクリート構造物２１を打設するに先立ち、前もって遮水板２４を取り付けておき、その上に浸透・貯留槽の鉄筋コンクリート基底１を打設する。
【００４２】
また、浸透・貯留槽の鉄筋コンクリート基底１を打設するに先立ち、地下水自動流入バルブハウジング２３を底鉄筋などに固定させ、止水板３２がコンクリートによく付着するようにバイブレーターでコンクリートを密に施工する。その後、固定板３１がコンクリート仕上げ表面部と同一線上に位置するようにレベル（Ｌｅｖｅｌ）を合わせて施工し、コンクリートなどの異物が本装置に入らないようにビニルなどで保養する。
【００４３】
このように、本発明の一実施例による地下水自動流入装置１９は浸透・貯留槽の最下端の基底部位に設置され、かつ容易な維持管理のために、垂直マンホールを兼ねた維持管理用作業通路１０、１１の下部に設置される。
本発明の一実施例によれば、地下水自動流入装置１９は、浸透・貯留槽の長さ１５ｍごとに又は貯留量２００〜３００トンごとに一つが設置される。
【００４４】
地下水自動流入装置１９の事後管理は、１年に１〜２回、浸透・貯留槽の掃除時に行われ、地下水自動流入バルブハウジング２３から地下水自動流入バルブ１２を分離し、主にスクリーン２７、２８を取り替えるか高圧噴霧器で地下水自動流入バルブ１２内の異物を除去することになる。
図８は本発明の一実施例による水循環用浸透・貯留槽の水循環概念図である。
【００４５】
図８によれば、本発明の一実施例による水循環用浸透・貯留槽は、流入マンホール８が樹木濾過ボックス３８、浸透管３９、浸透筒４０などの雨水浸透施設と連続型流路で連結されていることにより、雨天時に前記連続型流路を通して雨水が浸透・貯留槽に保存される。
【００４６】
また、本発明の一実施例による水循環用浸透・貯留槽は、雨天時、地下水位の上昇による流出地下水の揚圧力を低下させるとともに前記浸透・貯留槽の内部に流出地下水を自動で流入させることによって地下水が浸透・貯留槽に保存されるようにする地下水自動流入装置１９を有する。
【００４７】
本発明の一実施例による地下水自動流入装置１９は、内部に空間２０を有する箱状コンクリート構造物２１と、砕石骨材４１によって取り囲まれ、前記箱状コンクリート構造物２１の内部空間２０に連結される有孔管状の地下水流入通路２２と、浸透・貯留槽の鉄筋コンクリート基底１に埋設され、前記箱状コンクリート構造物２１の内部空間２０に連結される地下水自動流入バルブハウジング２３と、前記地下水自動流入バルブハウジング２３に着脱可能に装着され、前記箱状コンクリート構造物２１の内部空間２０に流入する流出地下水を浸透・貯留槽の内部に自動で流入させる地下水自動流入バルブ１２とを含んでなる。
【００４８】
図８は雨天時に地中土壌層に雨水が浸透することによって上昇する地下水位と水循環用浸透・貯留槽の貯留水位間の水頭４２によって地下水自動流入バルブ１２が開放し、水循環用浸透・貯留槽に作用する揚圧力が低下することにより、流出地下水が水循環用浸透・貯留槽の内部に自動で流入する形態を示す。
【００４９】
これにより、本発明による水循環用浸透・貯留槽は、一定の水頭を有する流出地下水を地下貯留槽の内部に自動で流入及び貯留させて水循環率を画期的に高めることができる効果を有する。
【００５０】
また、本発明による水循環用浸透・貯留槽は、雨水浸透施設によって流入する雨水以外に流出地下水まで用いることができるので、地下水位によって有効水量を従来の浸透・貯留槽に比べて１５０〜３５０％増大させることができる効果を有する。
【００５１】
有効水量とは実際に活用することができる流出地下水の数量を意味する。従来の浸透・貯留槽は雨季に地表面又は屋根面の雨水のみ限定的に貯留槽に保存して使うことができるが、貯留槽を地下水位以下に設置して流出地下水を無動力で貯留槽に保存することができる本発明の水循環用浸透・貯留槽を使えば、地下水を豊富に活用することができ、有効水量が大きく増大する。
【００５２】
以上で説明した本発明は前述した実施例及び添付図面に限定されず、本発明の技術的思想を逸脱しない範疇内で置換、変形及び変換が可能であることが、本発明の属する技術分野における通常の知識を有する者に明らかであることを付言する。
【産業上の利用可能性】
【００５３】
前記記載事項から分かるように、本発明による水循環用浸透・貯留槽は、雨天時に地表に近くに設置された雨水浸透施設によって流入する雨水だけではなく地中に浸透した流出地下水まで浸透・貯留槽に自動で流入させることにより、雨水の利用率及び水循環率を画期的に高めることができる産業上の利用可能性を有する。
【００５４】
また、本発明による水循環用浸透・貯留槽は、流出地下水を活用することができるので、地下水位によって有効水量を従来の浸透・貯留槽に比べて１５０〜３５０％増大させることができる産業上の利用可能性を有する。
【符号の説明】
【００５５】
１    鉄筋コンクリート基底
２    滞水材
３    主柱
４    中央補助柱
５    浸透有孔板
６    外壁板
７    防水シート材
８    流入マンホール
９    流出マンホール
１０    垂直作業通路
１１    水平作業通路
１２    地下水自動流入バルブ
１３    流入配管
１４    上部パネル
１５    下部パネル
１６    主柱結合部
１７    中央補助柱結合部
１８    孔
１９    地下水自動流入装置
２０    内部空間
２１    箱状コンクリート構造物
２２    地下水流入通路
２３    地下水自動流入バルブハウジング
２４    遮水板
２５    防水層
２６    圧力開閉板
２７、２８    スクリーン
２９    螺合
３０    バルブ固定用カバー
３１    固定板
３２    止水板
３３    回転板
３４、３５、３６    螺合
３７    ガスケット
３８    樹木濾過ボックス
３９    浸透管
４０    浸透筒
４１    砕石骨材
４２    水頭
４３    地下水
【図１】
2019522746.tif 000003
【図２】
2019522746.tif 000004
【図３】
2019522746.tif 000005
【図４】
2019522746.tif 000006
【図５】
2019522746.tif 000007
【図６】
2019522746.tif 000008
【図７】
2019522746.tif 000009
【図８】
2019522746.tif 000010
【国際調査報告】
2019522746.tif 000011
2019522746.tif 000012
2019522746.tif 000013
2019522746.tif 000014